(57)【要約】【課題】画素への多様なデータ信号の供給方法を用いることができ、これによってデータ信号の高速書き込みを実現する。【解決手段】画素が１回選択される期間に、第１データ信号線駆動回路（３）はデータ信号として第１データ信号を出力し、第２データ信号線駆動回路（４）はデータ信号として第２データ信号を出力することで、第１データ信号の電位および第２データ信号の電位に応じた輝度の表示を行なう。【選択図】図１
2014098863.tif 000002
【特許請求の範囲】
【請求項１】
マトリクス状に配された複数の画素と、同一列に配された上記画素に接続されたデータ信号線とを有する表示部と、
外部から入力される映像信号に応じた電位を有するデータ信号を出力し、上記データ信号線を介して、上記画素に上記データ信号を供給するデータ信号線駆動回路と、を備えており、
各行に配された上記画素を順次選択し、選択された上記各画素に供給されたデータ信号の電位に応じた輝度の表示を行なう表示装置であって、
上記データ信号線駆動回路として、第１データ信号線駆動回路と、第２データ信号線駆動回路とを備えており、
上記データ信号線は、上記第１データ信号線駆動回路および上記第２データ信号線駆動回路のそれぞれに接続されており、
上記画素が１回選択される期間に、上記第１データ信号線駆動回路は上記データ信号として第１データ信号を出力し、上記第２データ信号線駆動回路は上記データ信号として第２データ信号を出力することで、上記第１データ信号の電位および上記第２データ信号の電位に応じた輝度の表示を行なうことを特徴とする表示装置。
【請求項２】
上記表示部は、同一行に配された上記画素に接続された走査信号線を有しており、
上記データ信号線と上記走査信号線の交差部に対応して、上記画素が配されており、
上記画素は、画素電極を有しており、
上記走査信号線を介して、当該走査信号線に接続された上記画素を選択する走査信号線駆動回路を有しており、
上記走査信号線駆動回路により上記画素が１回選択される期間である選択期間に、上記第１データ信号の電位および上記第２データ信号の電位に応じた電位を有するデータ信号を、上記画素電極に供給することを特徴とする請求項１に記載の表示装置。
【請求項３】
少なくとも１つの上記画素の上記選択期間に出力される、上記第１データ信号の電位と上記第２データ信号の電位とは、互いに異なることを特徴とする請求項２に記載の表示装置。
【請求項４】
上記第１データ信号の電位は、上記第１データ信号線駆動回路から上記画素までの上記データ信号線の長さに基づいて決められ、上記第２データ信号の電位は、上記第２データ信号線駆動回路から当該画素までの上記データ信号線の長さに基づいて決められることを特徴とする請求項３に記載の表示装置。
【請求項５】
少なくとも１つの上記画素の上記選択期間において、上記第１データ信号線駆動回路が出力する第１データ信号のパルスの立ち上がりのタイミングは、上記第２データ信号線駆動回路が出力する第２データ信号のパルスの立ち上がりのタイミングよりも早く、
当該第１データ信号の電位は、当該第２データ信号の電位よりも高いことを特徴とする請求項４に記載の表示装置。
【請求項６】
少なくとも１つの上記画素の上記選択期間において、当該選択期間の初期には、少なくとも上記第１データ信号および上記第２データ信号の何れか一方は、上記映像信号に応じた電位よりも高い電位を有していることを特徴とする請求項２〜５の何れか１項に記載の表示装置。
【請求項７】
上記第１データ信号の、上記データ信号線への供給を制御するためのスイッチング素子をさらに備えることを特徴とする請求項１〜６の何れか１項に記載の表示装置。
【請求項８】
マトリクス状に配された複数の画素と、同一列に配された上記画素に接続されたデータ信号線とを有する表示部を備えており、
外部から入力される映像信号に応じた電位を有するデータ信号を出力し、上記データ信号線を介して、上記画素に上記データ信号を供給するデータ信号線駆動回路と、を備えており、
各行に配された上記画素を順次選択し、選択された上記各画素に供給されたデータ信号の電位に応じた輝度の表示を行なう表示装置の表示方法であって、
上記データ信号として第１データ信号および第２データ信号を、上記各画素に供給することで、上記第１データ信号の電位および上記第２データ信号の電位に応じた輝度の表示を行なうことを特徴とする表示方法。
【発明の詳細な説明】
【技術分野】
【０００１】
本発明は表示装置、及び表示装置の表示方法に関する。
【背景技術】
【０００２】
液晶パネルの駆動方式として、アクティブマトリクス駆動方式がよく知られている。アクティブマトリクス駆動方式を用いた液晶表示装置は、画素電極を備えるアレイ基板と、アレイ基板に対向して設けられ、対向電極を備える対向基板とを有しており、アレイ基板と対向基板との間に液晶層を挟持した構造を有している。画素電極と対向電極とは、絵素容量を形成している。
【０００３】
そして、表示装置の外部から入力された映像信号に応じた電位を画素電極に供給することで、映像信号に応じた電荷が絵素容量に蓄積（充電）される。また、映像信号に応じて、画素電極と対向電極との間の電位差（電圧）を制御することで、液晶層には映像信号に応じた電圧が印加され、液晶層おける光の透過率を制御し、諧調表示を行うものである。
【０００４】
一般的なアクティブマトリクス駆動方式について、図１０に基づいて説明する。図１０は、アクティブマトリクス駆動方式の液晶表示装置１０１の一部の構成を示す等価回路図である。
【０００５】
アクティブマトリクス駆動方式の液晶表示装置１０１は、表示部と各種駆動回路とを備えている。表示部には、互いに平行な方向に延びる多数のデータ信号線１０７と、データ信号線１０７に直交する方向に延びる多数の走査信号線１０８とが配されており、隣り合う２本のデータ信号線１０７と、隣り合う２本の走査信号線１０８とで囲われた領域に対応して画素１１０が規定されている。各画素１１０には、画素電極１１２が設けられている。
【０００６】
また、データ信号線１０７と走査信号線１０８との各交差部に対応して、ＴＦＴ１１１が設けられている。ＴＦＴ１１１のゲート電極Ｇは走査信号線１０８に接続され、ソース電極Ｓはデータ信号線１０７に接続され、ドレイン電極Ｄは画素電極１１２に接続されている。
【０００７】
各データ信号線１０７はデータ信号線駆動回路１０３に接続されており、各走査信号線１０８は走査信号線駆動回路（図示しない）に接続されている。
【０００８】
データ信号線駆動回路１０３は、表示装置の外部から入力された映像信号に応じて、データ信号を出力する。
【０００９】
走査信号線駆動回路は、上記映像信号に応じて、走査信号としてのゲートパルスを出力する。ゲートパルスは、走査信号線１０８を介して各画素１１０のＴＦＴ１１１のゲート電極Ｇに入力される。ゲート電極Ｇに入力されたゲートパルスの電位がＨＩＧＨのときに、ＴＦＴ１１１はオン状態となる。
【００１０】
ＴＦＴ１１１がオン状態の期間は、ＴＦＴ１１１のソース電極Ｓとドレイン電極Ｄとが導通し、データ信号がデータ信号線１０７およびＴＦＴ１１１を介して画素電極１１２に供給される。これにより、各画素電極１１２に、映像信号に応じた電位を有するデータ信号が書き込まれ、絵素容量に所定の電荷が蓄積される。
【００１１】
アクティブマトリクス駆動方式の表示装置では、走査信号線駆動回路が、各走査信号線に供給されるゲートパルスの電位を順次ＨＩＧＨとすることで、各画素１１０のＴＦＴ１１１を順次オン状態とし、データ信号線駆動回路１０３が各画素１１０の画素電極１１２に順次データ信号を書き込むことで、各画素電極と対向電極との間の電位差を制御する。
【００１２】
アクティブマトリクス駆動方式の表示装置として、特許文献１には、２つの走査信号線駆動回路ＧＤ１・ＧＤ２と、２つのデータ信号線駆動回路ＳＤ１・ＳＤ２と、を有する画像表示装置が記載されている。
【００１３】
図１１は、特許文献１の画像表示装置の構成の一例を示すブロック図である。
【００１４】
図１１に示すように、特許文献１の画像表示装置は、画素アレイＡＲＹと、データ信号線駆動回路ＳＤ１・ＳＤ２と、走査信号線駆動回路ＧＤ１およびＧＤ２と、タイミング信号を供給するタイミング回路ＣＴＬと、映像信号を供給する映像信号処理回路ＶＩＤから成っている。データ信号線駆動回路ＳＤ１・ＳＤ２は、それぞれ画素アレイＡＲＹに対して反対側に配置されている。
【００１５】
特許文献１の画像表示装置は、複数個の駆動回路を備え、映像データの種類や動作環境に対応して、最適な表示モードや表示フォーマットに切り替えることにより、高表示品位と低消費電力とを両立させることができ、また、複数の駆動回路を同時に動作させることにより、複数の画像データを重ねて表示させることができるものである。
【００１６】
図１２は、特許文献１の画像表示装置の表示例を示す説明図である。より詳しくは、フレームの途中で、動作させるデータ信号線駆動回路および走査信号線駆動回路の切り替えを行う場合の、データ信号線駆動回路および走査信号線駆動回路の動作状態と、表示される画像の様子を示す。図１２において、斜線は、駆動回路が動作状態にあることを示す。
【００１７】
図１２の（ａ）に示すように、データ信号線駆動回路ＳＤ１を動作させる一方、データ信号線駆動回路ＳＤ２の動作を停止することで、表示部の上部に画像を表示する。また、図１２の（ｂ）に示すように、データ信号線駆動回路ＳＤ２を動作させる一方、データ信号線駆動回路ＳＤ１の動作を停止することで、表示部の下部に画像を表示する。
【００１８】
このように、特許文献１の表示装置によれば、表示部を複数の領域に分割し、データ信号線駆動回路ＳＤ１により表示部における一部の領域の画像を制御し、データ信号線駆動回路ＳＤ２により表示部における他の一部の領域の画像を制御することができる。
【先行技術文献】
【特許文献】
【００１９】
【特許文献１】特開２００６−２５１８２０号公報（２００６年９月２１日公開）
【発明の概要】
【発明が解決しようとする課題】
【００２０】
近年、液晶パネルの大型化が進んでおり、これに伴い画素（または絵素）数も増加している。画素数が増加することによりデータ信号線および走査信号線（信号線）の本数も増加する。信号線の本数の増加による額縁面積の増大を抑制するために、信号線１本あたりの配線幅を縮小することが求められる。また、液晶パネルの大型化に伴い、信号線の配線長が増大している。
【００２１】
このように、信号線の配線幅を縮小させ、また、信号線の配線長を増大することで、信号線の配線抵抗が増大してしまう。
【００２２】
また、画素数が増加することにより、単位時間あたりに輝度を制御すべき画素の数が増加し、高速で画像を書き替えるために各画素へのデータ信号の供給を短時間で行う必要が生じる。言い換えると、各画素の画素電極へのデータ信号の書き込みを高速で行う必要が生じる。
【００２３】
図１３は、従来の駆動方法により画素電極にデータ信号を書き込むときの、画素に供給されるデータ信号の電位と画素電極の電位との関係を示す図である。実線はデータ信号の電位であり、波線は画素電極の電位である。
【００２４】
図１３の（ａ）に示すように、ＴＦＴがオン状態の期間内である書き込み可能期間が、データ信号を画素電極に書き込むのに十分な期間であれば、画素電極の電位をデータ信号の電位に設定することができる。
【００２５】
これに対して、図１３の（ｂ）に示すように、書き込み可能期間が、データ信号を画素電極に書き込むのに十分な期間でない場合、画素電極の電位をデータ信号電位の電位に設定することができず、正確な表示画像の制御をすることができない。
【００２６】
画素電極の電位が、データ信号が供給され始めてから、供給されたデータ信号の電位の６３％の電位に設定されるまでに要する期間は、時定数τとして、以下の式で表される。
【００２７】
τ＝ＲＣ
ここで、Ｒはデータ信号線駆動回路から画素電極までの回路内の抵抗であり、Ｃは画素電極と対向電極との間に形成される絵素容量である。
【００２８】
例えば、データ信号線駆動回路から画素電極までの抵抗を５０ｋΩとし、画素電極と対向電極との間に形成される絵素容量を３０ｐＦとした場合、時定数は１．５μ秒である。
【００２９】
例えば、２５６階調の画像を正確に表示するためには、画素電極の電位を、少なくとも、供給されたデータ信号の電位の９９．６％の電位に設定しなければならない。
【００３０】
画素電極の電位を、供給されたデータ信号の電位の９９．６％の電位に設定するためには、８．２８μ秒の書き込み期間を要する。
【００３１】
一方で、ＴＦＴ１１１のゲート電極Ｇに入力されるゲートパルスの電位がＨｉｇｈの期間を書き込み可能期間とし、走査信号線駆動回路が全ての走査信号線を選択することで画像を１回書き替える期間である１フレーム期間を１／６０秒（６０Ｈｚ）とした場合、走査信号線が６００本の場合には、書き込み可能期間は２７．６μｓ（１／６０／６００）であり、走査信号線が２０００本の場合には、書き込み可能期間は８．３μｓ（１／６０／２０００）である。また、１フレームを１／１２０秒（１２０Ｈｚ）とした場合、走査信号線が２０００本の場合には、書き込み可能期間は４．１μｓ（１／１２０／２０００）である。
【００３２】
そのため、例えば、１フレームを１／１２０秒とし、走査信号線を２０００本とした表示装置において、２５６諧調の画像を表示する場合には、書き込み可能期間が不足し、正確な表示画像の制御をすることができない。
【００３３】
また、近年、動画表示のなめらかさの追求、高速動画の表示の要求もあり、１秒間の画面書き換え枚数が増大している（例えば、テレビジョン映像においては毎秒１８０フレーム）。
【００３４】
このため、信号線の本数増加と信号処理の高速化への要求はさらに高まっている。
【００３５】
特許文献１の画像表示装置は、データ信号線駆動回路ＳＤ１により表示部における一部の領域の画像を制御し、データ信号線駆動回路ＳＤ２により表示部における他の一部の領域の画像を制御するものであり、これにより、消費電力の低減を試みるものである。
【００３６】
しかしながら、特許文献１の画像表示装置は、単に表示部を複数の領域に分割して制御するものであって、データ信号の供給方法は、１つのデータ信号線駆動回路により駆動する従来の表示装置と同様である。そのため、データ信号の高速書き込みを実現するための多様な方法を採用することができない。
【００３７】
そこで、本発明は上記の課題に鑑みなされたものであって、その目的は、画素への多様なデータ信号の供給方法を用いることができ、これによってデータ信号の高速書き込みを実現することができる表示装置および表示装置の駆動方法を提供することにある。
【課題を解決するための手段】
【００３８】
上記の課題を解決するために、本発明の一態様に係る表示装置は、マトリクス状に配された複数の画素と、同一列に配された上記画素に接続されたデータ信号線とを有する表示部と、外部から入力される映像信号に応じた電位を有するデータ信号を出力し、上記データ信号線を介して、上記画素に上記データ信号を供給するデータ信号線駆動回路と、を備えており、各行に配された上記画素を順次選択し、選択された上記各画素に供給されたデータ信号の電位に応じた輝度の表示を行なう表示装置であって、上記データ信号線駆動回路として、第１データ信号線駆動回路と、第２データ信号線駆動回路とを備えており、上記データ信号線は、上記第１データ信号線駆動回路および上記第２データ信号線駆動回路のそれぞれに接続されており、上記画素が１回選択される期間に、上記第１データ信号線駆動回路は上記データ信号として第１データ信号を出力し、上記第２データ信号線駆動回路は上記データ信号として第２データ信号を出力することで、上記第１データ信号の電位および上記第２データ信号の電位に応じた輝度の表示を行なうことを特徴とする。
【００３９】
また、上記の課題を解決するために、本発明の一態様に係る表示装置の表示方法は、マトリクス状に配された複数の画素と、同一列に配された上記画素に接続されたデータ信号線とを有する表示部を備えており、外部から入力される映像信号に応じた電位を有するデータ信号を出力し、上記データ信号線を介して、上記画素に上記データ信号を供給するデータ信号線駆動回路と、を備えており、各行に配された上記画素を順次選択し、選択された上記各画素に供給されたデータ信号の電位に応じた輝度の表示を行なう表示装置の表示方法であって、上記データ信号として第１データ信号および第２データ信号を、上記各画素に供給することで、上記第１データ信号の電位および上記第２データ信号の電位に応じた輝度の表示を行なうことを特徴とする。
【発明の効果】
【００４０】
本発明の一態様によれば、画素への多様なデータ信号の供給方法を用いることができ、これによってデータ信号の高速書き込みを実現することができる表示装置および表示装置の駆動方法を提供することができる。
【図面の簡単な説明】
【００４１】
【図１】本発明の実施形態１に係る液晶表示装置の概略構成を示すブロック図である。
【図２】本発明の実施形態１に係る液晶表示装置の一部の構成を示す等価回路図である。
【図３】本発明の実施形態１に係る液晶表示装置の実施例１に係る駆動方法を説明するための等価回路図である。
【図４】従来の表示装置の駆動方法と、本実施形態の表示装置の駆動方法とを比較するためのタイミングチャートであり、図４の（ａ）は、従来の表示装置の駆動方法を示すタイミングチャートであり、図４の（ｂ）は、本実施形態の表示装置の駆動方法を示すタイミングチャートである。
【図５】本発明の実施形態１に係る液晶表示装置の実施例２に係る駆動方法を説明するための等価回路図である。
【図６】本発明の実施形態１に係る液晶表示装置の実施例３に係る駆動方法を説明するための等価回路図である。
【図７】画素電極にデータ信号を書き込むときの、データ信号の電位と画素電極の電位との関係を示す図であり、図７の（ａ）は、実施例３の駆動方法を用いて画素電極にデータ信号を書き込むときの、データ信号の電位と画素電極の電位との関係を示す図であり、図７の（ｂ）は、従来の駆動方法を用いて画素電極にデータ信号を書き込むときの、データ信号の電位と画素電極の電位との関係を示す。
【図８】実施例４の駆動方法を説明するための図であり、図８の（ａ）は、実施例４の駆動方法を示すタイミングチャートであり、図８の（ｂ）は、実施例４の駆動方法により画素電極にデータ信号を書き込むときの、画素に供給されるデータ信号の電位と画素電極の電位との関係を示す。
【図９】本発明の実施形態２に係る液晶表示装置の一部の構成を示す等価回路図である。
【図１０】従来のアクティブマトリクス駆動方式の液晶表示装置の一部の構成を示す等価回路図である。
【図１１】従来技術を示す特許文献１の画像表示装置の構成の一例を示すブロック図である。
【図１２】特許文献１の画像表示装置の表示例を示す説明図である。
【図１３】従来の駆動方法により画素電極にデータ信号を書き込むときの、画素に供給されるデータ信号の電位と画素電極の電位との関係を示す図である。
【発明を実施するための形態】
【００４２】
本発明の実施形態として以下に具体的に説明する。なお、本発明の表示装置として、アクティブマトリクス駆動方式の液晶表示装置を例に挙げて説明するが、本発明は、アクティブマトリクス駆動方式の有機ＥＬ表示装置、単純マトリクス駆動方式の液晶表示装置などの表示装置であっても適用することができる。
【００４３】
〔実施形態１〕
以下、本発明の第１の実施形態について、図１〜５に基づいて詳細に説明する。
【００４４】
図１は、本実施形態の液晶表示装置の概略構成を示すブロック図である。液晶表示装置１は、複数の画素を有する表示部２と、表示部２に表示する画像を制御するための第１データ信号線駆動回路３、第２データ信号線駆動回路４、および走査信号線駆動回路５と、外部から入力される映像信号に基づき、第１データ信号線駆動回路３、第２データ信号線駆動回路４、および走査信号線駆動回路５に供給するクロック信号などの信号を生成するタイミングコントローラー６とを有している。
【００４５】
図示はしないが、表示部２には、互いに交差する多数の走査信号線と多数のデータ信号線とが設けられており、互いに隣接する走査信号線と互いに隣接するデータ信号線とで包囲された部分に、画素が形成されている。これにより、表示部２には、多数の画素がマトリクス状に形成されている。
【００４６】
図２は、本実施形態の液晶表示装置の一部の構成を示す等価回路図である。
【００４７】
表示部２には、多数の画素１０がマトリクス状に形成されている。各画素１０には、画素電極１２が設けられている。画素電極１２に対向して対向電極１３が設けられおり、画素電極１２と対向電極１３との間には、液晶層が設けられている。画素電極１２と対向電極１３との間には、絵素容量Ｃｃｌが形成されている。
【００４８】
表示部２の背面には、光源としてバックライト（図示しない）が設けられており、バックライトは、光を表示面側に向けて出射する。
【００４９】
液晶表示装置１は、画素電極１２と対向電極１３との間の電位差を制御することで、液晶層に印加する電圧を制御する。これにより、液晶層における上記光の透過率を制御し、画像を表示するものである。
【００５０】
データ信号線７は、第１データ信号線駆動回路３および第２データ信号線駆動回路４に接続されている。またデータ信号線７と走査信号線８の交差部の近傍には、ＴＦＴ１１が形成されている。具体的には、走査信号線８は、ＴＦＴ１１のゲート電極Ｇに接続されている。データ信号線７は、分岐部７Ｐを有しており、分岐部７Ｐから分岐する分岐配線を介して、ＴＦＴ１１のソース電極Ｓに接続されている。また、ＴＦＴ１１のドレイン電極Ｄは、画素電極１２に接続されている。
【００５１】
第１データ信号線駆動回路３および第２データ信号線駆動回路４は、クロック信号などのタイミング信号に同期して、入力された映像信号をサンプリングし、必要に応じて増幅して、各データ信号線７を介してデータ信号を画素電極１２に書き込む働きをする。
【００５２】
走査信号線駆動回路５は、クロック信号等のタイミング信号に同期して、ゲートパルスを出力する。走査信号線８に入力するゲートパルスをＨＩＧＨとすることで走査信号線８を順次選択し、走査信号線８を介してＴＦＴ１１のゲート電極Ｇにゲートパルスを入力し、ＴＦＴ１１をオン状態とする。これにより、第１データ信号線駆動回路３および第２データ信号線駆動回路４が出力したデータ信号の、画素電極１２への供給を制御する。
【００５３】
＜表示方法＞
走査信号線駆動回路５は、各走査信号線８に供給するゲートパルスの電位を順次ＨＩＧＨとすることで、同一行に配された画素１０のＴＦＴ１１を順次ＯＮ状態とする。
【００５４】
ＴＦＴ１１がオン状態にあるとき、データ信号線７およびＴＦＴ１１を介して、データ信号が画素電極１２に供給される。すなわち、画素電極１２にデータ信号が書き込まれる。
【００５５】
ここで、本実施形態の液晶表示装置１においては、データ信号線７を介して、第１データ信号線駆動回路３と第２データ信号線駆動回路４とにより、画素電極１２にデータ信号が書き込まれる。
【００５６】
画素電極１２に書き込まれるデータ信号は、第１データ信号線駆動回路３が出力する第１データ信号と、第２データ信号線駆動回路４が出力する第２データ信号とに基づいた電位を有する。
【００５７】
具体的な駆動方法の例を、各実施例として以下に説明する。
【００５８】
（実施例１）
本実施例の表示装置の駆動方法の例を、図３に基づいて説明する。図３は、本実施例の駆動方法を説明するための等価回路図である。図３においては、各データ信号線駆動回路３・４が出力するデータ信号のパルスを図示している。
【００５９】
第１データ信号線駆動回路３および第２データ信号線駆動回路４は、外部から入力される映像信号に基づいて、それぞれ、第１データ信号および第２データ信号を生成し、出力する。
【００６０】
本実施例の駆動方法においては、ＴＦＴ１１が１回オン状態となるときの、第１データ信号線駆動回路３が出力する第１データ信号の電位と、第２データ信号線駆動回路４が出力する第２データ信号の電位が同じである。
【００６１】
このとき、画素電極１２には、ＴＦＴ１１のソース電極Ｓおよびドレイン電極Ｄを介して、第１データ信号の電位と第２データ信号の電位とに基づいた電位を有するデータ信号が入力される。
【００６２】
図４は、従来の表示装置の駆動方法と、本実施形態の表示装置の駆動方法とを比較するためのタイミングチャートである。図４の（ａ）は、従来の表示装置の駆動方法を示すタイミングチャートであり、図４の（ｂ）は、本実施形態の表示装置の駆動方法を示すタイミングチャートである。
【００６３】
図４の（ａ）に示すように、従来の表示装置の駆動方法では、走査信号線駆動回路から出力されるゲートパルスによりＴＦＴが１回オン状態となる期間に、１つのデータ信号線駆動回路によりデータ信号が画素電極に供給され、書き込まれる。
【００６４】
これに対して、本実施形態の表示装置の駆動方法では、図４の（ｂ）に示すように、走査信号線駆動回路５から出力されるゲートパルスによりＴＦＴ１１が１回オン状態となる期間に、第１および第２データ信号線駆動回路３・４から、第１および第２データ信号が出力される。すなわち、第１データ信号線駆動回路３と第２データ信号線駆動回路４とを同時に駆動する。そして、第１および第２データ信号に基づいたデータ信号が画素電極に供給され、書き込まれる。
【００６５】
画素電極にデータ信号を書き込むときの時定数は、回路の抵抗値（特に、データ信号線駆動回路から画素電極までの抵抗値）と、絵素容量との積で表される。
【００６６】
時定数を小さくするためには、回路の抵抗値が小さいことが好ましい。データ信号線７の長さは回路の抵抗値に影響を与えるため、データ信号線７の長さは短い方が好ましい。
【００６７】
本実施形態の液晶表示装置では、表示部２および画素１０を挟むようにして設けられた第１データ信号線駆動回路３と第２データ信号線駆動回路４とにより、データ信号が各画素電極１２に書き込まれる。
【００６８】
そのため、表示部において、第１データ信号線駆動回路３よりも第２データ信号線駆動回路４に近い位置にある画素１０の画素電極１２に対してデータ信号を書き込む場合は、時定数は、第１データ信号線駆動回路３から分岐部７Ｐまでのデータ信号線７の一部７Ａの抵抗値よりも、第２データ信号線駆動回路４から分岐部７Ｐまでのデータ信号線７の一部７Ｂの抵抗値に影響される。
【００６９】
一方、表示部において、第２データ信号線駆動回路４よりも第１データ信号線駆動回路３に近い位置にある画素１０の画素電極１２に対してデータ信号を書き込む場合は、時定数は、第２データ信号線駆動回路４から分岐部７Ｐまでのデータ信号線７の一部７Ｂの抵抗値よりも、第１データ信号線駆動回路３から分岐部７Ｐまでのデータ信号線７の一部７Ａの抵抗値に影響される。
【００７０】
１つのデータ信号線駆動回路により各画素の画素電極にデータ信号を書き込む場合は、表示部においてどの位置にある画素の画素電極に対しても、当該データ信号線駆動回路によりデータ信号が書き込まれる。そのため、例えば表示部の上方にデータ信号線駆動回路を配置した場合、データ信号線駆動回路から、表示部において下部に配された画素の画素電極までの距離は長くなり、データ信号線の抵抗値が大きくなる。その結果、時定数が大きくなり、書き込み時間が不足するおそれがある。
【００７１】
これに対し、本実施例の表示装置は、表示面を挟んで両側に、第１データ信号線駆動回路３および第２データ信号線駆動回路４が設けられており、第１データ信号線駆動回路３および第２データ信号線駆動回路４によって、各画素１０の画素電極１２にデータ信号を書き込む。
【００７２】
これにより、表示部２においてどの位置に配された画素１０の画素電極１２にデータ信号を書き込む場合であっても、データ信号線駆動回路から当該画素電極１２までの距離を短くすることができる。そのため、時定数を小さくすることができ、十分な書き込み時間を確保することができる。
【００７３】
従来の表示装置の駆動方法では、高速書き込みが必要な場合に、書き込み時間が十分確保されない場合があるが、本実施形態の表示装置の駆動方法によれば、データ信号書き込みのためのデータ信号線の長さを実質的に短くすることができ、時定数を小さくすることができる。そのため、高速書き込みが必要な場合であっても、書き込み時間を十分確保することができる。
【００７４】
（実施例２）
本実施例の表示装置の駆動方法の例を、図５に基づいて説明する。図５は、本実施例の駆動方法を説明するための概略図である。図５においては、各データ信号線駆動回路が出力するデータ信号のパルスを図示している。
【００７５】
本実施例の駆動方法は、ＴＦＴ１１が１回オン状態となるときの、第１データ信号線駆動回路３が出力する第１データ信号の電位と、第２データ信号線駆動回路４が出力する第２データ信号の電位が異なっている。
【００７６】
ここで、第１データ信号線駆動回路３から分岐部７Ｐまでのデータ信号線７の一部７Ａにおける抵抗値をＲＡとし、第１データ信号の電位をＶＡとし、第２データ信号線駆動回路４から分岐部７Ｐまでのデータ信号線７の一部７Ｂにおける抵抗値をＲＢとし、第１データ信号の電位をＶＢとする。
【００７７】
この場合、ＴＦＴ１１のソース電極Ｓに入力されるデータ信号の電位Ｖは、
Ｖ＝ＶＡ−（ＶＡ−ＶＢ）（ＲＡ／（ＲＡ＋ＲＢ））
または、
Ｖ＝ＶＢ−（ＶＢ−ＶＡ）（ＲＢ／（ＲＡ＋ＲＢ））
として表される。
【００７８】
本実施例の好ましい駆動方法は、各画素１０の画素電極１２にデータ信号を書き込む場合において、第１データ信号線駆動回路３は、第１データ信号線駆動回路３から分岐部７Ｐまでの、データ信号線７の一部７Ａの長さに基づいた電位を有する第１データ信号を出力する。
【００７９】
また、第２データ信号線駆動回路４は、第２データ信号線駆動回路４から分岐部７Ｐまでの、データ信号線７の一部７Ｂの長さに基づいた電位を有する第２データ信号を出力する。
【００８０】
これにより、各画素電極１２にデータ信号を書き込む場合において、第１および第２データ信号線駆動回路３・４から分岐部７Ｐまでのデータ信号線の抵抗値を考慮して、適切な電位を有するデータ信号を出力することができる。
【００８１】
例えば、第１データ信号線駆動回路３および第２データ信号線駆動回路４は、外部から入力された映像信号に対応する電位に、各画素１０の表示部２における位置に応じた係数を掛けた値の電位を有する第１および第２データ信号を出力するものとしてもよい。
【００８２】
これにより、各画素電極１２に対応する画素１０の、表示部２における位置にかかわらず、画素電極１２にデータ信号を書き込むときの時定数を小さくすることができる。
【００８３】
（実施例３）
本実施例の表示装置の駆動方法の例を、図６〜７に基づいて説明する。
【００８４】
図６は、本実施例の駆動方法を説明するための概略図である。図６においては、各データ信号線駆動回路が出力するデータ信号のパルスを図示している。
【００８５】
図７は、画素電極にデータ信号を書き込むときの、データ信号の電位と画素電極の電位との関係を示す図である。図７の（ａ）は、本実施例の駆動方法を用いて画素電極にデータ信号を書き込むときの、データ信号の電位と画素電極の電位との関係を示す図であり、図７の（ｂ）は、通常の駆動方法を用いて画素電極にデータ信号を書き込むときの、データ信号の電位と画素電極の電位との関係を示す図である。
【００８６】
図６に示すように、本実施例の駆動方法において、第１データ信号線駆動回路３および第２データ信号線駆動回路４は、いわゆるオーバーシュート（オーバードライブ）で駆動される。
【００８７】
具体的には、第１データ信号および第２データ信号のパルスの立ち上がり直後における電位を、画素電極１２に書き込みを予定しているデータ信号の電位よりも大きくする。そして、第１データ信号および第２データ信号のパルスの立ち上がりのタイミングから時間が経過するとともに、第１データ信号および第２データ信号の電位を小さくする。
【００８８】
そして、最終的に、画素電極１２に、書き込みを予定している電位のデータ信号を供給し、データ信号を書き込む。
【００８９】
これにより、図７の（ａ）に示すように、書き込み可能期間に、画素電極の電位をデータ信号の電位に設定することができる。
【００９０】
一方で、図７の（ｂ）に示すように、従来の駆動方法を用いた場合、画素電極の電位をデータ信号の電位に設定するまでに長い時間を要する。さらに、図１３の（ｂ）に示すように、書き込み可能期間内に、画素電極の電位をデータ信号の電位に設定することができない場合もある。
【００９１】
なお、画素電極に供給されるデータ信号の電位をＶ０、画素電極にデータ信号が供給され始めた時刻からの経過時間をｔ、時定数をτとすると、画素電極の電位Ｖ（ｔ）は、以下の式で表される。
【００９２】
Ｖ（ｔ）＝Ｖ０（１−ＥＸＰ（−ｔ／τ））
そのため、画素電極の電位は、図７に波線で示す曲線のように、供給されたデータ信号の電位に対して緩やかに追従する。
【００９３】
画素電極の電位が、供給されたデータ信号の電位に対して緩やかに追従するために、高速で画素を書き替える場合に、従来の駆動方法では、画素の輝度を正確に制御することができない場合がある。
【００９４】
そこで、本実施例の駆動方法のように、第１データ信号および第２データ信号のパルスの立ち上がり直後における電位を、画素電極１２に書き込みを予定しているデータ信号の電位よりも大きくすることで、画素電極の電位を高速で立ち上げる（データ信号の電極に追従させる）ことができる。
【００９５】
これにより、高速で、画素電極１２にデータ信号を書き込むことができ、画像を高速で書き替えることができる。
（実施例４）
本実施例の表示装置の駆動方法の例を、図８に基づいて説明する。
【００９６】
図８は、本実施例の表示装置の駆動方法を説明するための図であり、図８の（ａ）は、本実施例の駆動方法を示すタイミングチャートであり、図８の（ｂ）は、本実施例の駆動方法により画素電極にデータ信号を書き込むときの、画素に供給されるデータ信号の電位と画素電極の電位との関係を示す図である。
【００９７】
図８に示すように、本実施例の表示装置の駆動方法では、ゲートパルスによりＴＦＴ１１が１回オン状態となる期間に、第１および第２データ信号線駆動回路３・４から、第１および第２データ信号が出力され、第１データ信号のパルスの立ち上がりのタイミングと第２データ信号のパルスの立ち上がりのタイミングとが互いに異なっている。本実施例では、第１データ信号のパルスが立ち上がったあとに第２データ信号のパルスが立ち上がる。
【００９８】
また、先にパルスが立ち上がるデータ信号（第１データ信号）の電位は、映像信号に応じて書き込みを予定している電位よりも大きな電位であり、先にパルスが立ち上がるデータ信号（第２データ信号）の電位は、書き込みを予定している電位である。
【００９９】
これにより、いわゆる通常のオーバーシュートの駆動方式のように、書き込み可能期間の前半において、映像信号に応じて書き込みを予定している電位よりも大きな電位を供給し、書き込み可能期間の後半では、書き込みを予定している電位のデータ信号を供給する。
【０１００】
これにより、複雑な回路構成とすることなく、簡易な構成によって、従来のオーバーシュート駆動方式のように、高速書き込みを実現することができる。
【０１０１】
〔実施形態２〕
本発明の第２の実施形態について、図９に基づいて説明すれば、以下のとおりである。なお、説明の便宜上、前記実施形態にて説明した部材と同じ機能を有する部材については、同じ符号を付記し、その説明を省略する。
【０１０２】
図９は、本実施形態の表示装置の一部の構成を示す等価回路図である。
【０１０３】
本実施形態の液晶表示装置５１は、第１データ信号線駆動回路３とデータ信号線７の分岐部７Ｐとの間に、スイッチング素子が設けられている。図９に示すように、スイッチング素子としては、トランジスタ３０を用いることができる。
【０１０４】
トランジスタ３０を設けることにより、第１データ信号線駆動回路３は、オープンステートとすることができる。すなわち、状況に応じて、第１データ信号線駆動回路３とＴＦＴ１１のソース電極Ｓとを電気的に切り離し、両者の電気的接続を解除することができる。
【０１０５】
これにより、例えば、各画素１０の画素電極１２に対するデータ信号の書き込みにおいて、低速書き込みでもよいときには、第２データ信号線駆動回路４のみを駆動し、第１データ信号線駆動回路３を停止することができる。第１データ信号線駆動回路３をオープンステートとすることで、停止状態の第１データ信号線駆動回路３からのノイズの影響などを回避することができる。
【０１０６】
また、図示はしないが、本実施形態の液晶表示装置５１は、第２データ信号線駆動回路４とデータ信号線７の分岐部７Ｐとの間に、スイッチング素子が設けられていてもよい。スイッチング素子としては、トランジスタを用いることができる。
【０１０７】
このように、各データ信号線駆動回路とデータ信号線７の分岐部７Ｐとの間に、スイッチング素子が設けられている液晶表示装置５１において、実施例４として説明した駆動方法を行うことが好ましい。
【０１０８】
例えば図８の（ｂ）に示す書き込み可能期間の前半、すなわち、第１データ信号線駆動回路３から第１データ信号が出力され、第２データ信号線駆動回路４からは第２データ信号が出力されていない期間において、スイッチング素子により、第２データ信号線駆動回路４とＴＦＴ１１のソース電極Ｓとを電気的に切り離し、両者の電気的接続を解除する。
【０１０９】
これにより、第１データ信号の電位に基づいて第２データ信号線駆動回路４へ電流が流れることを防止することができる。
【０１１０】
また、図８の（ｂ）に示す書き込み可能期間の後半、すなわち、第１データ信号線駆動回路３からは第１データ信号が出力されず、第２データ信号線駆動回路４からは第２データ信号が出力される期間において、スイッチング素子により、第１データ信号線駆動回路３とＴＦＴ１１のソース電極Ｓとを電気的に切り離し、両者の電気的接続を解除する。
【０１１１】
これにより、第２データ信号の電位に基づいて第１データ信号線駆動回路３へ電流が流れることを防止することができる。
【０１１２】
〔まとめ〕
本発明の一態様に係る表示装置は、マトリクス状に配された複数の画素と、同一列に配された上記画素に接続されたデータ信号線とを有する表示部と、外部から入力される映像信号に応じた電位を有するデータ信号を出力し、上記データ信号線を介して、上記画素に上記データ信号を供給するデータ信号線駆動回路と、を備えており、各行に配された上記画素を順次選択し、選択された上記各画素に供給されたデータ信号の電位に応じた輝度の表示を行なう表示装置であって、上記データ信号線駆動回路として、第１データ信号線駆動回路と、第２データ信号線駆動回路とを備えており、上記データ信号線は、上記第１データ信号線駆動回路および上記第２データ信号線駆動回路のそれぞれに接続されており、上記画素が１回選択される期間に、上記第１データ信号線駆動回路は上記データ信号として第１データ信号を出力し、上記第２データ信号線駆動回路は上記データ信号として第２データ信号を出力することで、上記第１データ信号の電位および上記第２データ信号の電位に応じた輝度の表示を行なうことを特徴とする。
【０１１３】
上記の構成によれば、第１データ信号線駆動回路が出力する第１データ信号と第２データ信号線駆動回路が出力する第２データ信号線により、画素への多様なデータ信号の供給方法を用いることができる。
【０１１４】
また、第１データ信号線駆動回路と第２データ信号線駆動回路とにより、画素にデータ信号を供給するため、画素との間の配線距離が短い何れかのデータ信号線駆動回路により有効に画素にデータ信号を供給することができる。
【０１１５】
そのため、１つのデータ信号線駆動回路によりデータ信号を供給する場合に比べて、高速でデータ信号を書き込むことができる。
【０１１６】
また、上記表示部は、同一行に配された上記画素に接続された走査信号線を有しており、上記データ信号線と上記走査信号線の交差部に対応して、上記画素が配されており、
上記画素は、画素電極を有しており、上記走査信号線を介して、当該走査信号線に接続された上記画素を選択する走査信号線駆動回路を有しており、上記走査信号線駆動回路により上記画素が１回選択される期間である選択期間に、上記第１データ信号の電位および上記第２データ信号の電位に応じた電位を有するデータ信号を、上記画素電極に供給してもよい。
【０１１７】
また、少なくとも１つの上記画素の上記選択期間に出力される、上記第１データ信号の電位と上記第２データ信号の電位とは、互いに異なってもよい。
【０１１８】
また、上記第１データ信号の電位は、上記第１データ信号線駆動回路から上記画素までの上記データ信号線の長さに基づいて決められ、上記第２データ信号の電位は、上記第２データ信号線駆動回路から当該画素までの上記データ信号線の長さに基づいて決められてもよい。
【０１１９】
上記の構成により、画素の、表示部における位置にかかわらず、データ信号を書き込むときの時定数を小さくすることができる。
【０１２０】
また、少なくとも１つの上記画素の上記選択期間において、上記第１データ信号線駆動回路が出力する第１データ信号のパルスの立ち上がりのタイミングは、上記第２データ信号線駆動回路が出力する第２データ信号のパルスの立ち上がりのタイミングよりも早く、当該第１データ信号の電位は、当該第２データ信号の電位よりも高くてもよい。
【０１２１】
上記の構成により、画素電極に書き込まれた電位を高速で立ち上げることができる。そのため、画像を高速で書き替えることができる。
【０１２２】
また、少なくとも１つの上記画素の上記選択期間において、当該選択期間の初期には、少なくとも上記第１データ信号および上記第２データ信号の何れか一方は、上記映像信号に応じた電位よりも高い電位を有していてもよい。
【０１２３】
上記の構成により、画素電極に書き込まれた電位を高速で立ち上げることができる。そのため、画像を高速で書き替えることができる。
【０１２４】
また、上記第１データ信号の、上記データ信号線への供給を制御するためのスイッチング素子をさらに備えていてもよい。
【０１２５】
上記の構成により、低速書き込みでもよいときには、第２データ信号線駆動回路のみを駆動し、第１データ信号線駆動回路を停止することができる。第１データ信号線駆動回路をオープンステートとすることで、停止状態の第１データ信号線駆動回路からのノイズの影響などを回避することができる。
【０１２６】
また、本発明の一態様に係る表示装置の表示方法は、マトリクス状に配された複数の画素と、同一列に配された上記画素に接続されたデータ信号線とを有する表示部を備えており、外部から入力される映像信号に応じた電位を有するデータ信号を出力し、上記データ信号線を介して、上記画素に上記データ信号を供給するデータ信号線駆動回路と、を備えており、各行に配された上記画素を順次選択し、選択された上記各画素に供給されたデータ信号の電位に応じた輝度の表示を行なう表示装置の表示方法であって、上記データ信号として第１データ信号および第２データ信号を、上記各画素に供給することで、上記第１データ信号の電位および上記第２データ信号の電位に応じた輝度の表示を行なうことを特徴とする。
【０１２７】
上記の構成によれば、第１データ信号線駆動回路が出力する第１データ信号と第２データ信号線駆動回路が出力する第２データ信号線により、画素への多様なデータ信号の供給方法を用いることができる。
【０１２８】
また、１つのデータ信号線駆動回路によりデータ信号を供給する場合に比べて、高速でデータ信号を書き込むことができる。
【０１２９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３０】
本発明は、特に、画像の高速書き替えが必要な表示装置、データ信号の高速書き込みが必要な大画面の表示装置に好適に利用することができる。
【符号の説明】
【０１３１】
１，５１  表示装置
２        表示部
３        第１データ信号線駆動回路
４        第２データ信号線駆動回路
１２      画素電極
３０      トランジスタ（スイッチング素子）
【図１】
2014098863.tif 000003
【図２】
2014098863.tif 000004
【図３】
2014098863.tif 000005
【図４】
2014098863.tif 000006
【図５】
2014098863.tif 000007
【図６】
2014098863.tif 000008
【図７】
2014098863.tif 000009
【図８】
2014098863.tif 000010
【図９】
2014098863.tif 000011
【図１０】
2014098863.tif 000012
【図１１】
2014098863.tif 000013
【図１２】
2014098863.tif 000014
【図１３】
2014098863.tif 000015